(57)【要約】【課題】  より簡単な構造で組み立てもより容易にすると共に、調理台の奥行きにあわせて寸法設定ができ、さらに油の回収と清掃を容易にできる構成とした厨房用フードを目的とする。【解決手段】  互いに位置替え可能な天面板１と背面板２、二枚の側面板３、３、幕板４、目隠板５およびドレンカップ６、連結手段である必要なビス７類で構成する。天面板１に背面板２と側面板３、３を配置して垂設して下面と前面を開放した覆い体を形成し、前面の開放面の一部である上部に幕板４を渡設してフードを組み立てる。天面板１の換気扇またはダクト取付用開口部１１に換気扇や排気ダクトを連結する。背面板２及び側面板３の下端に、液抜孔２６、３７を有するドレン受片２５、３６を設け、その下面にドレンカップ６を磁石で着脱自在に取り付ける。【選択図】  図３
2011058763.tif 000002
【特許請求の範囲】
【請求項１】
互いに位置替え可能な天面板と背面板、二枚の側面板、幕板及び目隠板で構成し、組み立てる厨房用フードであって、天面板および背面板に換気扇またはダクト取付用開口部が形成してあり、天面板と背面板は長方形で互いに一辺を直角に突合して組み立てられ、直角に連結する辺は同一長で、両板の換気扇またはダクト取付用開口部は連結した辺の対称位置に在ること、側面板は、五角形であり、天面板または背面板と連結する二つの辺は直角を形成し、この二つの辺は天面板の奥行長または背面板の上下長と等しいこと、天面板および背面板と連結する直角を形成する辺の他端であって、天面板からの垂下辺と背面板からの突出辺の長さが等しく、且つ横長長方形の幕板の短辺とも等長であること、目隠板は前記換気扇またはダクト取付用開口部を覆い隠せる大きさを有することとし、天面板と背面板を何れかの位置に決定し、側面板の天面板からの垂下辺に幕板を渡設し、背面板となる換気扇またはダクト取付用開口部を目隠し板で覆い隠すこことを特徴とする厨房用組み立てフード。
【請求項２】
天面板、背面板と側面板との連結は、いずれか一方の連結辺から内方へ設けた取付片と他方の連結辺近傍とを重合し、その重合部を連結部材で固定すること、幕板は側面板の前面上部の天面板からの垂下辺に渡設するもので、垂下辺から内方へ設けた取付片に幕板の側端部を重合し、その重合部を連結部材で固定することを特徴とする請求項１記載の厨房用組み立てフード。
【請求項３】
天面板と背面板の位置関係の設定を自由に選択し、設定後に該当する取付片へ幕板を渡設して固定したことを特徴とする請求項１または２記載の厨房用組み立てフード。
【請求項４】
背面板と側面板の下端に内方へドレン受片を設け、ドレン受片には液抜孔を有し、ドレン受片の下面にドレンカップを着脱可能に当着したことを特徴とする請求項１乃至３のいずれかに記載の厨房用組み立てフード。
【請求項５】
幕板の下面にもドレンカップを着脱可能に当着したことを特徴とする請求項４記載の厨房用組み立てフード。
【請求項６】
着脱手段が磁石であることを特徴とする請求項４または５記載の厨房用組み立てフード。
【発明の詳細な説明】
【技術分野】
【０００１】
本発明は、組み立て可能な厨房用フードに関するものである。
【背景技術】
【０００２】
従来の厨房用フードは、工場等で組み立てた状態で搬送し、装置現場で所定の場所へ取り付けるのが一般的である。
【０００３】
また、特開２００２−３２３２４６号公報のように、厨房への搬入が狭い空間でも容易に搬入が可能で、２人の作業者によって取りつけ可能で、混載便のトラックを使用しておこなえるような業務用フードの取付方法と該フードを提供することを目的としたものや、特開２００５−８３６７１号公報のように、特殊な折曲げ加工した接合部を形成するパネル同士を組合せ、接合部をフードの平面を形成する部位で突合せ嵌合してリベット止めとし、溶接個所及び研磨個所を究極なまでに減らし、気密性と堅牢性を備え、且つコスト削減可能とする組立て構造の厨房用フードを提供することを目的としたものもある。
【先行技術文献】
【特許文献】
【０００４】
【特許文献１】特開２００２−３２３２４６号公報
【特許文献２】特開２００５−８３６７１号公報
【発明の概要】
【発明が解決しようとする課題】
【０００５】
そこで本発明は、上記各公報のフードと比較して、より簡単な構造で組み立てもより容易にすると共に、調理台の奥行きにあわせて寸法設定ができ、さらに付着した油の回収と清掃を容易にできる構成とすることを目的とするものである。
【課題を解決するための手段】
【０００６】
本発明の請求項1の厨房用組み立てフードは、互いに位置替え可能な天面板と背面板、二枚の側面板、幕板及び目隠板で構成し、組み立てる厨房用フードであって、天面板および背面板に換気扇またはダクト取付用開口部が形成してあり、天面板と背面板は長方形で互いに一辺を直角に突合して組み立てられ、直角に連結する辺は同一長で、両板の換気扇またはダクト取付用開口部は連結した辺の対称位置に在ること、側面板は、五角形であり、天面板または背面板と連結する二つの辺は直角を形成し、この二つの辺は天面板の奥行長または背面板の上下長と等しいこと、天面板および背面板と連結する直角を形成する辺の他端であって、天面板からの垂下辺と背面板からの突出辺の長さが等しく、且つ横長長方形の幕板の短辺とも等長であること、目隠板は前記換気扇またはダクト取付用開口部を覆い隠せる大きさを有することとし、天面板と背面板を何れかの位置に決定し、側面板の天面板からの垂下辺に幕板を渡設し、背面板となる換気扇またはダクト取付用開口部を目隠し板で覆い隠すこことを特徴とするものである。
【０００７】
請求項２の発明は、天面板、背面板と側面板との連結は、いずれか一方の連結辺から内方へ設けた取付片と他方の連結辺近傍とを重合し、その重合部を連結部材で固定すること、幕板は側面板の前面上部の天面板からの垂下辺に渡設するもので、垂下辺から内方へ設けた取付片に幕板の側端部を重合し、その重合部を連結部材で固定することを特徴とするものである。
【０００８】
請求項３の発明は、天面板と背面板の位置関係の設定を自由に選択し、設定後に該当する取付片へ幕板を渡設して固定したことを特徴とするものである。
【０００９】
請求項４の発明は、背面板と側面板の下端に内方へドレン受片を設け、ドレン受片には液抜孔を有し、ドレン受片の下面にドレンカップを着脱可能に当着したことを特徴とし、請求項５の発明は、幕板の下面にもドレンカップを着脱可能に当着したことを特徴とし、請求項６の発明は、ドレンカップの着脱手段が磁石であることを特徴とするものである。
【発明の効果】
【００１０】
請求項１の発明では、天面板、背面板、二枚の側面板、幕板及び目隠板を組み立てる簡易な構成部材及び構成となる効果を有する。
天面板と背面板に換気扇またはダクト取付用開口部が形成してあり、天面板と背面板は長方形で互いに直角に突合して組み立てられるため、いずれを天面板または背面板とするかは任意に決定でき、背面版となる板の不要な換気扇またはダクト取付用開口部を目隠板で閉塞すればよく、調理台の奥行きにあわせて二種類の形態を構成できる効果を発揮する。
【００１１】
そして、直角に連結する辺は同一長で、両板の換気扇またはダクト取付用開口部は連結した辺の対称位置に在るため、設置する背面の壁面から側面板は、いずれを天面板または背面板とするかは任意に決定しても同一の位置に換気扇またはダクト取付用開口部を位置せしめることが出来る効果を有する。
【００１２】
さらに、天面板および背面板を連結する直角を形成する連結辺の他端であって、天面板からの垂下辺と背面板からの突出辺の長さが等しく、且つ横長長方形の幕板の短辺とも等長であるため、いずれを天面板または背面板とするかは任意に決定しても、幕板をフードの前面上部の所定の位置に当着できる効果を有する。
【００１３】
請求項２の発明は、請求項１の発明の効果に加えて、各板との連結は、互いに連結辺から内方へ設けた取付片を連結する板に重合し、その重合部を連結部材で固定する構成としたことで簡単容易に行える効果を有する。
【００１４】
請求項３の発明は、請求項１および２の発明の効果に加えて、天面板と背面板の位置関係の設定を自由に選択し、設定後に該当する取付片へ幕板を渡設して固定することで二種類の形態を支障なく組み立てることができる効果を発揮する。
【００１５】
請求項４および５の発明は、請求項１乃至３の発明の効果に加えて、背面板と側面板の下端に内方へ液抜孔を有するドレン受片を設け、ドレン受片の下面にドレンカップを着脱可能に当着したため、簡単な構成でドレンの回収および処理並びに清掃を容易に行える効果を有するものである。
【００１６】
請求項６の発明は、請求項４または５の発明の効果に加えて、ドレンカップの着脱手段が磁石であるため、極めて容易に着脱を行えるものとなる効果を発揮する。
【図面の簡単な説明】
【００１７】
【図１】本発明の一実施の形態を示す構成材を展開した斜視図である。
【図２】本発明の組み立ての状態を示す斜視図である。
【図３】本発明の組み立て完成時の状態を示す斜視図である。
【図４】本発明の使用の状態を示す側面図である。
【図５】ドレンカップの一実施の形態を示す平面図である。
【図６】ドレンカップの一実施の形態を示す側面図である。
【発明を実施するための形態】
【００１８】
本発明の一実施の形態を図面に基づいて説明する。
図１は本発明の一実施の形態を示す構成材を展開した斜視図であり、天面板１、背面板２、二枚の側面板３、３、幕板４、目隠板５およびドレンカップ６であり、更に、連結手段である必要なビス・ナット７類（図１には図示せず、図２又は図３参照）から構成される。
【００１９】
天面板１に背面板２と側面板３、３を配置して垂設して下面と前面を開放した覆い体を形成し、前面の開放面の一部である上部に幕板４を渡設してフードを構成するものである。
そして、天面板１には換気扇またはダクト取付用開口部１１が形成してあり、該開口部１１に換気扇や排気ダクトを連結するものである。
【００２０】
そこで、天面板１、背面板２と側面板３、３及び幕板４との各連結は、各板の周囲に内側となる方向へ折曲した連結片１２、２２、３１、４１を形成し、連結片１２、２２、３１、４１とそれぞれ当接する辺近傍で、対応して設けたネジ孔８とビス・ナット７で連結固定するものである。
連結片１２、２２、３１、４１は夫々連結する板と重合し、適宜ネジ孔を選択してビス・ナット７で連結固定すれば良く、総てを連結固定する必要はない。
【００２１】
各板が整合して組み合わさるように、天面板１と背面板２は長方形で互いに直角に連結する辺１３、２３及び長方形である幕板４の長辺４２は同一長であること、側面板３は、五角形であり、天面板１または背面板２と連結する二つの辺３２、３３は直角を形成し、この二つの辺３２、３３の長さは、それぞれ天面板１または背面板２の連結する辺１４，２４の長さと等しい。さらに、側面板３は、天面板１および背面板２と連結する直角を形成する辺３２、３３の他端であって、天面板１からの垂下辺３４の長さと背面板２からの突出辺３５の長さが等しく、且つ上記幕板４の短辺４３の長さとも等しくなるものである。
【００２２】
そして、側面板３の天面板１からの垂下辺３４及び背面板２からの突出辺３５と幕板４の短辺４２との長さが等しいため、幕板４は垂下辺３４、３４間又は突出辺３５、３５間の何れへも渡設可能であり、このことは後述する二種類の形態を構成できることになる。
【００２３】
また、背面板２に形成されている換気扇またはダクト取付用開口部２１は不要のため、目隠板５を当着して覆い隠すものであり、対応する位置に設けたネジ孔８とビス・ナット７で当着するものである。
【００２４】
フードを組み立てた状態において、この換気扇またはダクト取付用開口部２１は、天面板１の換気扇またはダクト取付用開口部１１に対して、天面板１と背面板２を直角に連結する辺１３（２３）を回転軸として９０度回転させた位置に在る。
【００２５】
このことは、図４に示すように、調理台１０１の奥行きにあわせて、背面板２を壁１００に当着する場合（実線）と天面板1を壁１００に当着する場合（破線）の二種類の形態を構成して設置でき、設置時に前面のなる開放上部に幕板４を当着し、壁１００に当着する板の換気扇またはダクト取付用開口部１１又は２１のどちらか一方に目隠板５を当着して覆い隠すようにすればよい。
【００２６】
各板の重合は、天面板１と背面板２を側面板３や幕板４の連結片で包むように構成し、重合部分の凹凸や隙間を回避するため、背面板２及び幕板４の一部の辺には連結片は設けず、また連結片の端部を切り欠いた形状としたものもある（図１参照）。
【００２７】
図５及び６はドレンカップ６の一実施の形態を示すもので、背面板２及び側面板３、３の下面に着脱可能に設けられる。
ドレンカップ６は上面を開放した細長の容器形状を成し、幅は後述のドレン受片２５、３６と同等以上とし、一方の側面に立上り部６１が形成してある。
容器内の両端部近傍には磁石９を両端部近傍に有し、ホルダー６２に収容された磁石９の上面はドレンカップ６の周壁（非立上り部）と略同一面になっている。
【００２８】
一方、背面板２及び側面板３の下端には、内側に折曲して形成したドレン受片２５、３６を設け、適宜位置に液抜孔２６、３７を設けてあり、先端はムダ折としてある。
そこで、ドレンカップ６を、ドレン受片２５、３６の下面に立上り部６１を内側に配して接着し、ドレン受片２５、３６と樋状を形成するように取り付ける。
【００２９】
尚、図４の破線の形態で構成する場合においては、天面板１の連結片１２及び側面板３の連結片３１が下端となるので、適宜位置に液抜孔１５、３７を設けてある。
【００３０】
ドレンカップ６取り付けて置くことにより、フード内面に付着して流下した油をドレン受片２５、３６で受け、液抜孔２６、３７を通してドレンカップ６に収容することができる。
ドレンカップ６のドレン受片２５、３６からの着脱は、磁石９のため極めて容易で、残留油等の廃棄処理が簡単の行えるものである。
【００３１】
また、この様な構成とすることで、フード内にドレン受樋の形成や排出コック等を装置する必要がなくなって簡易な構成となると共に、フード内が簡素化するため、清掃も障碍物が無くなって容易となるものである。
【００３２】
図面に基づいて説明した上記の具体的構成は一例であり、同様の作用効果を得られる他の連結構成又は手段を排除するものではない。
そして、ドレンカップは幕板の下端にもドレン受片を形成して装着するようにしてもよい。
また、使用しないネジ孔や液抜孔はアルミテープ等で塞いでおけばよい。
【符号の説明】
【００３３】
１                                  天面板
２                                  背面板
３                                  側面板
４                                  幕板
５                                  目隠板
６                                  ドレンカップ
７                                  ビス・ナット
８                                  ネジ孔
９                                  磁石
１１、２１                          換気扇またはダクト取付用開口部
１２、２２、３１，４１              連結片
１３、１４、２３、２４、３２、３３  連結する辺
２５、３６                          ドレン受片
１５、２６、３７                    液抜孔
３４                                垂下辺
３５                                突出辺
４２                                長辺
４３                                短辺
６１                                立上り部
６２                                ホルダー
１００                              壁
１０１                              調理台
【図１】
2011058763.tif 000003
【図２】
2011058763.tif 000004
【図３】
2011058763.tif 000005
【図４】
2011058763.tif 000006
【図５】
2011058763.tif 000007
【図６】
2011058763.tif 000008